(57)【要約】【課題】経済性に優れたブロワノズル及びブロワノズルを取り付けたブロワを提供する。【解決手段】ブロワに形成される吸引口又は送風口へそれぞれ選択的に取り付けられて、吸引口又は送風口とそれぞれ連通する連通経路１０を有する筒状のブロワノズル１であって、連通経路内に、ブロワノズルの内面からブロワノズルの一方の開口１１側へ向けて突出し、連通経路の一部を閉塞する第１の傾斜壁４０Ｃ、４０Ｄと、ブロワノズルの内面からブロワノズルの他方の開口１２側へ向けて突出し、連通経路の一部を閉塞する第２の傾斜壁４０Ａ、４０Ｂとを、連通経路の形成方向で所定の間隔Ｈを置いてそれぞれ配置して、一方の開口から進入する異物を第１の傾斜壁で、他方の開口から進入する異物を第２の傾斜壁でそれぞれ捕捉可能とした。【選択図】図１
2011047336.tif 000002
【特許請求の範囲】
【請求項１】
ブロワに形成される吸引口又は送風口へそれぞれ選択的に取り付けられて、前記吸引口又は前記送風口とそれぞれ連通する連通経路を有する筒状のブロワノズルであって、
前記連通経路内に、前記ブロワノズルの内面から該ブロワノズルの一方の開口側へ向けて突出し、前記連通経路の一部を閉塞する第１の傾斜壁と、前記ブロワノズルの内面から該ブロワノズルの他方の開口側へ向けて突出し、前記連通経路の一部を閉塞する第２の傾斜壁とを、前記連通経路の形成方向で所定の間隔を置いてそれぞれ配置して、
前記一方の開口から進入する異物を前記第１の傾斜壁で、前記他方の開口から進入する異物を前記第２の傾斜壁でそれぞれ捕捉可能としたことを特徴とするブロワノズル。
【請求項２】
前記第１の傾斜壁及び前記第２の傾斜壁を、前記連通経路が開口する開口部から見て該連通経路を閉塞するように配置したことを特徴とする請求項１に記載のブロワノズル。
【請求項３】
前記第１の傾斜壁及び前記第２の傾斜壁に、前記連通経路を流れる空気を通過させる通気孔を形成したことを特徴とする請求項１又は２に記載のブロワノズル。
【請求項４】
前記第１の傾斜壁を、前記連通経路の横断面を四等分した空間の内で該連通経路の中心に対して点対称となる一対の前記空間内に配置する一方、
前記第２の傾斜壁を、前記四等分した空間の内で前記第１の傾斜壁が配置される空間とは異なる一対の空間内に配置することを特徴とする請求項１ないし３のいずれかに記載のブロワノズル。
【請求項５】
ハウジング内にモータによって回転するファンを設け、前記ハウジングにおける前記ファンの吸気側に吸引口を、前記ファンの送風側に送風口をそれぞれ形成したブロワであって、
前記吸引口又は前記送風口に、請求項１ないし４のいずれかに記載のブロワノズルを取り付けたブロワ。
【発明の詳細な説明】
【技術分野】
【０００１】
この発明は、ブロワに形成される吸引口又は送風口へそれぞれ選択的に取り付けられて、前記吸引口又は前記送風口とそれぞれ連通する連通経路を有する筒状のブロワノズル及び該ブロワノズルを取り付けたブロワに関する。
【背景技術】
【０００２】
例えば、特許文献１には、モータによって回転するファンを収容するファンケースに設けられた吸込口に、木片等の異物が通過する経路に向かい合うように突出する複数のリブを設けた集塵機が開示されている。特許文献１の集塵機では、複数のリブ同士の間隔を、吸込口から異物がファンケースに入り込むことを防ぐ間隔にすることで、該異物によってファンが損傷することを防止している。
【０００３】
また、特許文献２には、ファンによって吸引した木屑をダストバッグに収容し、該ダストバッグを接続する吐出口に、木片等の異物を衝突させるために用いるリブが設けられた集塵機が開示されている。特許文献２の集塵機では、上記の異物をリブに衝突させてからダストバッグ内に落下させるようにしているため、異物が直接ダストバッグに衝突することがない。その結果として、ダストバッグが損傷することを防止できる。
【先行技術文献】
【特許文献】
【０００４】
【特許文献１】特開２００３−１８１３９６号公報
【特許文献２】特開平９−７５６４５号公報
【発明の概要】
【発明が解決しようとする課題】
【０００５】
ところで、ファンの吸気側にあたる木屑等の吸引口や、ファンの送風側にあたり下孔の切削屑等のごみを吹き飛ばす空気を送風する送風口にそれぞれブロワノズルを選択的に取り付けるブロワについても、該吸引口に、例えば小石等の吸引異物が入り込んでブロワ内のファンを損傷させることを防止するため、特許文献１のように、吸引口に複数のリブを設けることが考えられる。
【０００６】
加えて、上記のブロワについては、誤ってブロワ内に入り込んで送風口から勢いよく送出された異物が、ダストバッグを損傷させることを防止するため、特許文献２のように、該送風口にリブを設けることが考えられる。
【０００７】
しかしながら、吸引口や送風口にそれぞれ別個に独立して上記のようなリブを設けると、ブロワの製造コストが増加することになり、経済性が劣ると考えられていた。
【０００８】
この発明は、このような状況に鑑み提案されたものであって、経済性に優れたブロワノズル及び該ブロワノズルを取り付けたブロワを提供することを目的とする。
【課題を解決するための手段】
【０００９】
請求項１の発明に係るブロワノズルは、ブロワに形成される吸引口又は送風口へそれぞれ選択的に取り付けられて、前記吸引口又は前記送風口とそれぞれ連通する連通経路を有する筒状のブロワノズルであって、前記連通経路内に、前記ブロワノズルの内面から該ブロワノズルの一方の開口側へ向けて突出し、前記連通経路の一部を閉塞する第１の傾斜壁と、前記ブロワノズルの内面から該ブロワノズルの他方の開口側へ向けて突出し、前記連通経路の一部を閉塞する第２の傾斜壁とを、前記連通経路の形成方向で所定の間隔を置いてそれぞれ配置して、前記一方の開口から進入する異物を前記第１の傾斜壁で、前記他方の開口から進入する異物を前記第２の傾斜壁でそれぞれ捕捉可能としたことを特徴とする。
【００１０】
請求項２の発明は、請求項１において、前記第１の傾斜壁及び前記第２の傾斜壁を、前記連通経路が開口する開口部から見て該連通経路を閉塞するように配置したことを特徴とする。
【００１１】
請求項３の発明は、請求項１又は２において、前記第１の傾斜壁及び前記第２の傾斜壁に、前記連通経路を流れる空気を通過させる通気孔を形成したことを特徴とする。
【００１２】
請求項４の発明は、請求項１ないし３のいずれかにおいて、前記第１の傾斜壁を、前記連通経路の横断面を四等分した空間の内で該連通経路の中心に対して点対称となる一対の前記空間内に配置する一方、前記第２の傾斜壁を、前記四等分した空間の内で前記第１の傾斜壁が配置される空間とは異なる一対の空間内に配置することを特徴とする。
【００１３】
請求項５の発明に係るブロワは、ハウジング内にモータによって回転するファンを設け、前記ハウジングにおける前記ファンの吸気側に吸引口を、前記ファンの送風側に送風口をそれぞれ形成したブロワであって、前記吸引口又は前記送風口に、請求項１ないし４のいずれかに記載のブロワノズルを取り付けたことを特徴とする。
【発明の効果】
【００１４】
請求項１の発明に係るブロワノズル及び請求項５の発明に係るブロワによれば、ブロワノズルの一方の開口を吸引口に取り付けて、他方の開口から吸引された異物（吸引異物）が連通経路内に進入した場合であっても、第２の傾斜壁によって、吸引異物を捕捉できると共に、連通経路の形成方向において第１の傾斜壁と第２の傾斜壁との間に設けられた所定の間隔を通じて、他方の開口から吸引された空気を、前記一方の開口が取り付けられた吸引口に向けて通過させることができる。
さらに、前記一方の開口を送風口に取り付けて、該一方の開口から送出された異物（送出異物）が連通経路内に進入した場合であっても、第１の傾斜壁によって、送出異物を捕捉できると共に、前記所定の間隔を通じて、一方の開口から送出させた空気を、前記他方の開口に向けて通過させることができる。
よって、吸引口や送風口にそれぞれ別個に独立して吸引異物や送出異物を捕捉する部分を設けなくても、ブロワノズルを吸引口又は送風口のどちらかに取り付けるだけで、吸引異物や送出異物を捕捉できる。したがって、上記のブロワノズルをブロワに取り付ければ、吸引口や送風口にそれぞれ別個に独立して吸引異物や送出異物を捕捉する部分を設ける場合に比べて、経済性に優れる。
請求項２の発明によれば、第１の傾斜壁と第２の傾斜壁との間には、隙間が生じることがない。これにより、前記吸引異物及び前記送出異物が、第１の傾斜壁と第２の傾斜壁との間から通り抜けること防止して、第２の傾斜壁によって吸引異物を、第１の傾斜壁によって送出異物を、それぞれ確実に捕捉できる。
請求項３の発明によれば、連通経路内に第１の傾斜壁及び第２の傾斜壁を突出させた場合であっても、各傾斜壁に形成した通気孔によって、連通経路を流れる空気の通路を確保できる。これにより、第１の傾斜壁によって送出異物を、第２の傾斜壁によって吸引異物を、それぞれ捕捉できる上に、連通経路内の空気の流れが遮られることを抑制できる。
請求項４の発明によれば、第１の傾斜壁が配置される一対の空間と、第２の傾斜壁が配置される一対の空間とは、平面視において重なることがない。これにより、前記一方の開口を吸引口に取り付けた場合には、他方の開口から連通経路内に進入した吸引異物を、第２の傾斜壁によって捕捉できる。
加えて、前記一方の開口を送風口に取り付けた場合には、一方の開口から連通経路内に進入した送出異物を、第１の傾斜壁によって捕捉できる。
【図面の簡単な説明】
【００１５】
【図１】本発明の実施形態のブロワノズルの透視図である。
【図２】（ａ）図は図１のＡ−Ａ要部断面図、（ｂ）図は図１のブロワノズルに吸引される空気の流れを示した該ブロワノズルのＢ−Ｂ要部断面図、（ｃ）図は同ブロワノズルに嵌着された筒状部材内に縦リブ及び横リブを配置した状態を示す平面図である。
【図３】同ブロワノズルを取り付ける充電式ブロワの正面図である。
【図４】同ブロワノズルから吹き出す空気の流れを示した該ブロワノズルの要部断面図である。
【図５】（ａ）図は他の実施形態のブロワノズルの一の要部断面図、（ｂ）図は同ブロワノズルの他の要部断面図である。
【発明を実施するための形態】
【００１６】
本発明の実施形態を、図１ないし図４を参照しつつ説明する。図１及び図２に示すように、ブロワノズル１は、筒状に成形されて、エア流路１０と、筒状部材２０と、縦リブ３０と、横リブ４０Ａ〜４０Ｄとを備えている。
【００１７】
エア流路１０は、ブロワノズル１の一端に開口する一端開口部１１と、該ブロワノズル１の他端に開口する他端開口部１２とを結ぶようにして、ブロワノズル１の内部に形成されている。エア流路１０は、ブロワノズル１の形状に合わせて、他端開口部１２から一端開口部１１に近づくにつれて拡径する。
【００１８】
筒状部材２０は、一端開口部１１からエア流路１０に差し込まれて、拡径の端部側である一端開口部１１側に嵌着されている。筒状部材２０の内部には、１つの縦リブ３０と、４つの横リブ４０Ａ〜４０Ｄとが設けられている。縦リブ３０は、エア流路１０の横断面を二等分するように、筒状部材２０の軸方向に延設されている。本実施形態では、縦リブ３０を合成ゴムによって形成して筒状部材２０の内面に接着した。
【００１９】
横リブ４０Ａは、一端開口部１１側から他端開口部１２側に向けて幅寸法が漸増するように形成されている。この横リブ４０Ａは、一端開口部１１側から他端開口部１２側に向けてエア流路１０内の閉空間１３を斜めに横切るように配置されている。これにより、図２の（ｂ）図に示すように、横リブ４０Ａは、エア流路１０の形成方向に対して斜めに傾斜した状態で該エア流路１０内に配置される。また、横リブ４０Ａの他端開口部１２側の端部は、エア流路１０の中心線上に位置するようにされている。この横リブ４０Ａは、エア流路１０内に、筒状部材２０の内面から他端開口部１２側に向けて斜めに下り傾斜して突出した傾斜面４１Ａを形成する。閉空間１３は、図２の（ｂ）図、（ｃ）図に示すように、エア流路１０の横断面を四等分した空間である。本実施形態では、横リブ４０Ａを、縦リブ３０の長手方向における一方の外面に接着し、横リブ４０Ａと縦リブ３０とを一体にした。このとき、横リブ４０Ａの一端開口部１１側の端部を、縦リブ３０の一端開口部１１側の端面と一致させると共に、横リブ４０Ａの他端開口部１２側の端部を、縦リブ３０の長手方向における中間位置よりもやや一端開口部１１側の位置と一致させた。なお、横リブ４０Ａは本発明の第２の傾斜壁の一例であり、ブロワノズル１の他端開口部１２側は、本発明のブロワノズルの他方の開口側の一例である。
【００２０】
また、横リブ４０Ａの傾斜面４１Ａには、多数の通気孔４２Ａが形成されている。本実施形態では、傾斜面４１Ａに６つの通気孔４２Ａを形成した。これらの通気孔４２Ａは、後述するように、エア流路１０を流れる空気を通過させるために用いる。
【００２１】
横リブ４０Ｂは、上記の横リブ４０Ａと同様の形状を有し、エア流路１０の中心に対して閉空間１３と点対称になる閉空間１５に、横リブ４０Ａと点対称になる状態で配置されている。これにより、横リブ４０Ｂは、横リブ４０Ａと点対称になる状態で、エア流路１０内の閉空間１５（図２の（ｃ）図参照。）を斜めに横切って、エア流路１０内に、筒状部材２０の内面から他端開口部１２側に向けて斜めに下り傾斜した傾斜面４１Ｂ（図２の（ｂ）図参照。）を形成する。この横リブ４０Ａの他端開口部１２側の端部は、エア流路１０の中心線上に位置するようにされている。閉空間１５は、閉空間１３と同様に、エア流路１０の横断面を四等分した空間である。本実施形態では、横リブ４０Ｂを、縦リブ３０の長手方向における他方の外面に接着し、横リブ４０Ｂと縦リブ３０とを一体にした。このとき、横リブ４０Ｂの一端開口部１１側の端部を、縦リブ３０の一端開口部１１側の端面と一致させると共に、横リブ４０Ｂの他端開口部１２側の端部を、縦リブ３０の長手方向における中間位置よりもやや一端開口部１１側の位置と一致させた。横リブ４０Ｂの傾斜面４１Ｂには、上記の傾斜面４１Ａと同様に、多数の通気孔４２Ｂが形成されている。なお、横リブ４０Ｂは本発明の第２の傾斜壁の一例である。
【００２２】
横リブ４０Ｃは、上記の各横リブ４０Ａ、４０Ｂとは異なり、他端開口部１２側から一端開口部１１側に向けて幅寸法が漸増するように形成されている。この横リブ４０Ｃは、他端開口部１２の側から一端開口部１１の側に向けてエア流路１０内の閉空間１４を斜めに横切るように配置されている。これにより、図２の（ｂ）図に示すように、横リブ４０Ｃは、エア流路１０の形成方向に対して斜めに傾斜した状態で該エア流路１０内に配置される。また、横リブ４０Ｃの一端開口部１１側の端部は、エア流路１０の中心線上に位置するようにされている。この横リブ４０Ｃは、エア流路１０内に、筒状部材２０の内面から一端開口部１１の側に向けて斜めに上り傾斜して突出した傾斜面４１Ｃを形成する。閉空間１４は、上記の閉空間１３、１５と同様に、エア流路１０の横断面を四等分した空間である。本実施形態では、横リブ４０Ｃを、縦リブ３０の長手方向における一方の外面に接着し、横リブ４０Ｃと縦リブ３０とを一体にした。このとき、横リブ４０Ｃの一端開口部１１側の端部を、上記の横リブ４０Ａの他端開口部１２側の端部から他端開口部１２側へ所定の間隔Ｈ（図１参照。）を置いた位置と一致させると共に、横リブ４０Ｃの他端開口部１２側の端部を、縦リブ３０の他端開口部１２側の端面と一致させた。横リブ４０Ｃの傾斜面４１Ｃには、上記の傾斜面４１Ａ、４１Ｂと同様に、多数の通気孔４２Ｃが形成されている。なお、横リブ４０Ｃは本発明の第１の傾斜壁の一例であり、ブロワノズル１の一端開口部１１側は、本発明のブロワノズルの一方の開口側の一例である。
【００２３】
横リブ４０Ｄは、上記の横リブ４０Ｃと同様の形状を有し、エア流路１０の中心に対して閉空間１４と点対称になる閉空間１６に、横リブ４０Ｃと点対称になる状態で配置されている。これにより、横リブ４０Ｄは、横リブ４０Ｃと点対称になる状態で、エア流路１０内の閉空間１６（図２の（ｃ）図参照。）を斜めに横切って、エア流路１０内に、筒状部材２０の内面から一端開口部１１の側に向けて斜めに上り傾斜した傾斜面４１Ｄ（図２の（ｂ）図参照。）を形成する。この横リブ４０Ｄの一端開口部１１側の端部は、エア流路１０の中心線上に位置するようにされている。閉空間１６は、上記の閉空間１３〜１５と同様に、エア流路１０の横断面を四等分した空間である。本実施形態では、横リブ４０Ｄを、縦リブ３０の長手方向における他方の外面に接着し、横リブ４０Ｄと縦リブ３０とを一体にした。このとき、横リブ４０Ｄの一端開口部１１側の端部を、上記の横リブ４０Ｂの他端開口部１２側の端部から他端開口部１２側へ所定の間隔Ｈ（図１参照。）を置いた位置と一致させると共に、横リブ４０Ｄの他端開口部１２側の端部を、縦リブ３０の他端開口部１２側の端面と一致させた。横リブ４０Ｄの傾斜面４１Ｄには、上記の各傾斜面４１Ａ〜４１Ｃと同様に、多数の通気孔４２Ｄが形成されている。なお、横リブ４０Ｄは本発明の第１の傾斜壁の一例である。また、閉空間１４及び閉空間１６は、本発明の第１の傾斜壁が配置される一対の空間であり、上記の閉空間１３及び閉空間１５は、本発明の第１の傾斜壁が配置される空間とは異なる他の一対の空間の一例である。
【００２４】
図１に示すように、エア流路１０の形成方向（縦リブ３０の長手方向）においては、横リブ４０Ａは、横リブ４０Ｃと所定の間隔Ｈを置いて配置される。加えて、図１に示すように、エア流路１０の形成方向においては、横リブ４０Ｂは、横リブ４０Ｄと所定の間隔Ｈを置いて配置される。
【００２５】
図２の（ｂ）図、（ｃ）図に示すように、各横リブ４０Ａ〜４０Ｄは、各閉空間１３〜１６を覆うように斜め横切って、各閉空間１３〜１６内に、それぞれ傾斜面４１Ａ〜４１Ｄを形成している。これにより、一端開口部１１や他端開口部１２からエア流路１０を見ると、各通気孔４２Ａ〜４２Ｄを除き、エア流路１０の形成方向においては、エア流路１０が閉塞されている。
【００２６】
次に、図３に示す充電式ブロワ６０にブロワノズル１を取り付けて、該充電式ブロワ６０を動作させる例を説明する。最初に、一例として、充電式ブロワ６０の吸引口６３にブロワノズル１を取り付けてごみを吸引する動作を説明する。充電式ブロワ６０では、本体ハウジング６２に内蔵されたファンの吸気側に吸引口６３が設けられ、該ファンの排気側に送風口６４が設けられている。ファンは、モータの回転軸に固着されている。エア通路１０内に突出させたピン１８、１８（図１参照。）をガイド溝６５、６５に進入させた後に、該ブロワノズル１を回転させると、ピン１８、１８が前記ガイド溝６５、６５に係止される。これにより、ブロワノズル１の一端開口部１１が、吸引口６３に取り付けられて、エア流路１０（図１参照。）が吸引口６３と連通する。なお、エア流路１０は、本発明の連通経路の一例である。
【００２７】
続いて、充電式ブロワ６０の運転を開始させると、モータの回転軸に固着されたファンが回転して吸引力が発生する。この吸引力によって、図２の（ｂ）図中の二点鎖線の矢印で示すように、空気が、他端開口部１２から吸引される。この空気は、エア流路１０を通過してファンに向けて流れる。このとき、前記吸引力によって、空気と共に、他端開口部１２からごみが吸引される。
【００２８】
他端開口部１２からごみが吸引される際には、小石等の異物を吸引することがある。このような場合であっても、図２の（ｂ）中の実線矢印で示すようなエア流路１０内の空気の流れによって、異物を傾斜面４１Ａや傾斜面４１Ｂに向かわせることができる。これにより、各通気孔４２Ａ、４２Ｂよりも大きな異物が、傾斜面４１Ａや傾斜面４１Ｂを通過することができず、傾斜面４１Ａや傾斜面４１Ｂに引っ掛かって、横リブ４０Ａや横リブ４０Ｂに捕捉される。このため、異物が、一端開口部１１から本体ハウジング６２内へ吸引されることが防止され、該異物によって、前記ファンが損傷することを防いでいる。なお、他端開口部１２から吸引される小石等は、本発明の他方の開口から進入する異物の一例である。
【００２９】
また、エア流路１０内を流れる空気は、各通気孔４２Ａ、４２Ｂを通じて各傾斜面４１Ａ、４１Ｂを通過した後に一端開口部１１及び吸引口６３を介してファンに到達すると共に、図２の（ｂ）図中の二点鎖線の矢印で示すように、上述した横リブ４０Ａと横リブ４０Ｃとの間や、横リブ４０Ｂと横リブ４０Ｄとの間にそれぞれ設けた間隔Ｈ（図１参照。）を通過した後に一端開口部１１及び吸引口６３を介してファンに到達する。
【００３０】
これらに加え、エア流路１０内の空気の流れによって、各傾斜面４１Ａ、４１Ｂとは平面視において重ならない位置に配置された各横リブ４０Ｃ、４０Ｄに、異物が向かうこともある。この場合には、異物は、横リブ４０Ｃに衝突した後に、エア流路１０内の空気の流れにより、該横リブ４０Ｃの斜面に沿って移動しながら傾斜面４１Ａに向かう。このため、上述したように、通気孔４２Ａよりも大きな異物が、横リブ４０Ａに捕捉される。さらに、横リブ４０Ｄに衝突した異物は、エア流路１０内の空気の流れにより、該横リブ４０Ｄの斜面に沿って移動しながら傾斜面４１Ｂに向かう。このため、上述したように、通気孔４２Ｂよりも大きな異物が、横リブ４０Ｂに捕捉される。
【００３１】
また、各横リブ４０Ｃ、４０Ｄに衝突した空気は、各通気孔４２Ｃ、４２Ｄを通じて各横リブ４０Ｃ、４０Ｄを通過した後に一端開口部１１及び吸引口６３を介してファンに到達する。加えて、各横リブ４０Ｃ、４０Ｄに衝突した空気は、上記の間隔Ｈを通過した後に一端開口部１１及び吸引口６３を介してファンに到達する。
【００３２】
一方、充電式ブロワ６０の送風口６４にブロワノズル１を取り付けて、ごみを吹き飛ばす空気を送風する場合には、充電式ブロワ６０は以下のように動作する。ブロワノズル１を送風口６４に取り付ける場合には、ブロワノズル１を吸引口６３に取り付ける場合と同様に、ピン１８、１８を、ガイド溝６６、６６に係止する。これにより、ブロワノズル１の一端開口部１１が、送風口６４に取り付けられて、エア流路１０が送風口６４と連通する。
【００３３】
吸引口６３から吸気した空気は、ファンによって排出された後に、図４中の二点鎖線の矢印で示すように、一端開口部１１からエア流路１０内に送られる。その後、エア流路１０内の空気は、他端開口部１２に向けて流れる。このとき、誤って小石等の異物が本体ハウジング６２内に入り込んでいた場合には、空気と共に異物が、一端開口部１１からエア流路１０内に送られる。
【００３４】
一端開口部１１からエア流路１０内に送られた異物は、図４中の実線矢印で示すような空気の流れによって、傾斜面４１Ｃや傾斜面４１Ｄに向かう。これにより、各通気孔４２Ｃ、４２Ｄよりも大きな異物が、傾斜面４１Ｃや傾斜面４１Ｄを通過することができず、傾斜面４１Ｃや傾斜面４１Ｄに引っ掛かって、横リブ４０Ｃや横リブ４０Ｄに捕捉される。これにより、異物が各傾斜面４１Ｃ、４１Ｄを通過して他端開口部１２から勢いよく飛び出すことが防止される。なお、一端開口部１１からエア流路１０内に送られた小石等は、本発明の一方の開口から進入する異物の一例である。
【００３５】
また、一端開口部１１からエア流路１０内に送られた空気は、各通気孔４２Ｃ、４２Ｄを通じて各傾斜面４１Ｃ、４１Ｄを通過した後に他端開口部１２から吹き出す。加えて、一端開口部１１からエア流路１０内に送られた空気は、上述した間隔Ｈを通過した後に他端開口部１２から吹き出す。
【００３６】
さらに加えて、エア流路１０内の空気の流れによって、横リブ４０Ａに異物が向かう場合には、該異物は、横リブ４０Ａに衝突した後に、該横リブ４０Ａの斜面に沿って移動しながら傾斜面４１Ｃに向かう。このため、上述したように、通気孔４２Ｃよりも大きな異物が、横リブ４０Ｃに捕捉される。さらに、エア流路１０内の空気の流れによって、横リブ４０Ｂに異物が向かう場合には、該異物は、横リブ４０Ｂに衝突した後に、該横リブ４０Ｂの斜面に沿って移動しながら傾斜面４１Ｄに向かう。このため、上述したように、通気孔４２Ｄよりも大きな異物が、横リブ４０Ｄに捕捉される。
【００３７】
また、各横リブ４０Ａ、４０Ｂに衝突した空気は、各通気孔４２Ａ、４２Ｂを通じて各横リブ４０Ａ、４０Ｂを通過した後に他端開口部１２から吹き出す。加えて、各横リブ４０Ａ、４０Ｂに衝突した空気は、上述した間隔Ｈを通過した後に他端開口部１２から吹き出す。
【００３８】
＜本実施形態の効果＞
本実施形態のブロワノズル１では、一端開口部１１を吸引口６３に取り付けて、他端開口部１２から小石等の異物が吸引されてエア流路１０内に進入した場合であっても、傾斜面４１Ａや傾斜面４１Ｂに異物を引っ掛かけて、横リブ４０Ａや横リブ４０Ｂに捕捉できると共に、上記の間隔Ｈを通じて、他端開口部１２からエア流路１０内に吸引された空気を、一端開口部１１を取り付けた吸引口６３に向かわせることができる。
さらに、一端開口部１１を送風口６４に取り付けて、上述したように、一端開口部１１からエア流路１０内に、小石等の異物が送られた場合であっても、傾斜面４１Ｃや傾斜面４１Ｄに異物を引っ掛かけて、横リブ４０Ｃや横リブ４０Ｄに捕捉できると共に、上記の間隔Ｈを通じて、一端開口部１１からエア流路１０内に送られた空気を、他端開口部１２に向かわせることができる。
よって、吸引口６３や送風口６４にそれぞれ別個に独立して異物を捕捉する部分を設けなくても、ブロワノズル１を吸引口６３や送風口６４に取り付けるだけで、他端開口部１２からエア流路１０内に吸引された異物（以下、吸引異物と言う。）や、一端開口部１１からエア流路１０内に送られた異物（以下、送出異物と言う。）を捕捉できる。したがって、ブロワノズル１を吸引口６３や送風口６４に取り付ければ、吸引口６３や送風口６４にそれぞれ別個に独立して異物を捕捉する部分を設ける場合に比べて、経済性に優れる。
【００３９】
また、上述したように、各横リブ４０Ａ〜４０Ｄは、各閉空間１３〜１６を覆うように斜め横切って、各閉空間１３〜１６内に、それぞれ傾斜面４１Ａ〜４１Ｄを形成し、各通気孔４２Ａ〜４２Ｄを除き、エア流路１０の形成方向においては、エア流路１０が閉塞されている。このため、図２の（ｂ）図に示すように、エア流路１０の形成方向においては、横リブ４０Ａと横リブ４０Ｃとの間や、横リブ４０Ｂと横リブ４０Ｄとの間には、それぞれ隙間が生じることがない。これにより、吸引異物や送出異物が、横リブ４０Ａと横リブ４０Ｃとの間や、横リブ４０Ｂと横リブ４０Ｄとの間からそれぞれ通り抜けることを防止して、各横リブ４０Ａ、４０Ｂによって吸引異物を、各横リブ４０Ｃ、４０Ｄによって送出異物を、それぞれ確実に捕捉できる。
【００４０】
さらに、エア流路１０内に、各横リブ４０Ａ〜４０Ｄのそれぞれの傾斜面４１Ａ〜４１Ｄを突出させた場合であっても、各通気孔４２Ａ〜４２Ｄによって、エア流路１０を流れる空気の通路を確保できる。これにより、各横リブ４０Ａ、４０Ｂによって吸引異物を、各横リブ４０Ｃ、４０Ｄによって送出異物を、それぞれ捕捉できる上に、エア流路１０内の空気の流れが遮られることを抑制できる。
【００４１】
加えて、本実施形態では、エア流路１０の横断面を四等分した閉空間１３〜１６の内で、エア流路１０の中心に対して点対称となる各閉空間１３、１５に、各横リブ４０Ａ、４０Ｂをそれぞれ配置して各傾斜面４１Ａ、４１Ｂを形成すると共に、前記閉空間１３、１５とは異なる各閉空間１４、１６に、各横リブ４０Ｃ、４０Ｄをそれぞれ配置して各傾斜面４１Ｃ、４１Ｄを形成した。このため、閉空間１３、１５と、閉空間１４、１６とは、平面視において重なることがない。これにより、一端開口部１１を吸引口６３に取り付けた場合には、吸引異物を、各傾斜壁４１Ａ、４１Ｂに引っ掛けて、各横リブ４０Ａ、４０Ｂによって捕捉できる。
その上、一端開口部１１を送風口６４に取り付けた場合には、送出異物を、各傾斜壁４１Ｃ、４１Ｄに引っ掛けて、各横リブ４０Ｃ、４０Ｄによって捕捉できる。
したがって、一端開口部１１を、吸引口６３又は送風口６４に択一的に取り付けることにより、ブロワノズル１は、吸引異物と送出異物の両方を捕捉できる。
【００４２】
本発明は、上述した実施形態に限定されるものではなく、発明の趣旨を逸脱しない範囲内において構成の一部を適宜変更して実施することができる。上述した実施形態とは異なり、図５に示すブロワノズル１Ａのように、上記の筒状部材２０をエア流路１０に嵌着せずに、上記の縦リブ３０、横リブ４０Ａ〜４０Ｄを、エア流路１０に装着させてもよい。
【００４３】
また、上述した実施形態とは異なり、通気孔を有しない各横リブ４０Ａ〜４０Ｄを各閉空間１３〜１６を覆うように斜めに横切らせて、各閉空間１３〜１６内に、それぞれ傾斜面４１Ａ〜４１Ｄを形成してもよい。この場合には、各横リブ４０Ａ、４０Ｂによって、吸引異物を捕捉すると共に、エア流路１０内を流れる空気は、上述した間隔Ｈを通過する。加えて、各横リブ４０Ｃ、４０Ｄによって、送出異物を捕捉すると共に、エア流路１０内を流れる空気は、上述した間隔Ｈを通過する。
【００４４】
さらに、上述した実施形態では、各横リブ４０Ａ〜４０Ｄに６つの通気孔を形成したが、これに限定されず、各横リブ４０Ａ〜４０Ｄには、６つ未満又は７つ以上の通気孔を形成してもよい。加えて、空気の圧力損失を抑えるために、各横リブ４０Ａ〜４０Ｄを各閉空間１３〜１６に配置する状態を変更して、各傾斜面４１Ａ〜４１Ｄの傾斜角度を適宜の値に設定したり、上記の間隔Ｈの寸法を適宜の値に設定してもよい。
【００４５】
さらに加えて、上述した実施形態とは異なり、１つの半円形状の横リブをエア流路１０の内面から一端開口部１１の側に向けて突出させて、一端開口部１１からエア流路１０内に送られた異物を引っ掛ける傾斜面を形成したり、他の１つの半円形状の横リブをエア流路１０の内面から他端開口部１２の側に向けて突出させて、他端開口部１２から吸引された異物を引っ掛ける傾斜面を形成してもよい。また、半円形状の横リブには、上述した実施形態と同様に、通気孔を形成してもよい。
【符号の説明】
【００４６】
１・・ブロワノズル、１０・・エア流路、１１・・ブロワノズルの一端開口部、１２・・ブロワノズルの他端開口部、１３〜１６・・エア流路の横断面を四等分した閉空間、４０・・横リブ、４１・・傾斜面、４２・・通気孔、６０・・ブロワ、６２・・本体ハウジング、６３・・吸引口、６４・・送風口、Ｈ・・エア流路の形成方向における連結リブ同士の間隔
【図１】
2011047336.tif 000003
【図２】
2011047336.tif 000004
【図３】
2011047336.tif 000005
【図４】
2011047336.tif 000006
【図５】
2011047336.tif 000007